(57)【要約】【課題】  省スペース化、対応機器のみへの充電、充電と通信の同時実現が可能な非接触充電および信号伝送システムを提供すること。【解決手段】  非接触充電および信号伝送システム１０は、電力伝送、信号送受信、情報処理機能を備える、携帯端末などの電力・信号伝送モジュール１１と、充電器などの非接触充電モジュール２１とからなり、互いに電磁誘導により非接触で電力伝送、信号送受信する構成である。電力・信号伝送モジュール１１は、二次電池１２の充電を制御するための第１の電力制御回路１３と、信号送受信を制御する第１の信号制御・情報処理回路１４とは、電力伝送と信号送受信とを分離、結合する機能を有する第１の分離結合回路１５を介して第１のコイル１６に接続され、非接触充電モジュール２１は、電源部２２からの電力を制御する第２の電力制御回路２３と、第２の信号制御・情報処理回路２４とは、第２の分離結合回路２５を介して第２のコイル２６に接続される。【選択図】  図１
2010284065.tif 000002
【特許請求の範囲】
【請求項１】
電力伝送機能、信号送受信機能及び情報処理機能を備えた携帯機器用の電力・信号伝送モジュールであって、二次電池の充電または負荷回路を制御するための第１の電力制御回路と、信号送受信を制御するための第１の信号制御・情報処理回路と、電力伝送と信号送受信とを分離、結合するための第１の分離結合回路とを備え、前記第１の電力制御回路と前記第１の信号制御・情報処理回路とはともに、前記第１の分離結合回路を介して第１のコイルに接続されたことを特徴とする電力・信号伝送モジュール。
【請求項２】
前記第１の電力制御回路と前記第１の信号制御・情報処理回路とに接続し、電力伝送と信号送受信の搬送波を互いに同期して形成させるための基本駆動信号を生成する第１の発振子を備えることを特徴とする請求項１に記載の電力・信号伝送モジュール。
【請求項３】
電力伝送機能、信号送受信機能及び情報処理機能を備えた非接触充電モジュールであって、電源部からの電力を制御するための第２の電力制御回路と、信号送受信を制御するための第２の信号制御・情報処理回路と、電力伝送と信号送受信とを分離・結合するための第２の分離結合回路を備え、前記第２の電力制御回路と前記第２の信号制御・情報処理回路とはともに、前記分離結合回路を介して第２のコイルに接続されたことを特徴とする非接触充電モジュール。
【請求項４】
前記第２の電力制御回路と前記第２の信号制御・情報処理回路とに接続し、電力伝送と信号送受信の搬送波を互いに同期して形成させるための基本駆動信号を生成する第２の発振子を備えることを特徴とする請求項３に記載の非接触充電モジュール。
【請求項５】
請求項１に記載の電力・信号伝送モジュールと、請求項３に記載の非接触充電モジュールとからなり、各々前記第１のコイル及び前記第２のコイルを介して互いに電磁誘導により非接触で電力伝送および信号送受信することを特徴とする非接触充電および信号伝送システム。
【請求項６】
請求項１に記載の電力・信号伝送モジュールと、請求項４に記載の非接触充電モジュールとからなり、各々前記第１のコイル及び前記第２のコイルを介して互いに電磁誘導により非接触で電力伝送および信号送受信することを特徴とする非接触充電および信号伝送システム。
【請求項７】
請求項２に記載の電力・信号伝送モジュールと、請求項３に記載の非接触充電モジュールとからなり、各々前記第１のコイル及び前記第２のコイルを介して互いに電磁誘導により非接触で電力伝送および信号送受信することを特徴とする非接触充電および信号伝送システム。
【請求項８】
請求項２に記載の電力・信号伝送モジュールと、請求項４に記載の非接触充電モジュールとからなり、各々前記第１のコイル及び前記第２のコイルを介して互いに電磁誘導により非接触で電力伝送および信号送受信することを特徴とする非接触充電および信号伝送システム。
【請求項９】
請求項３に記載の非接触充電モジュールに請求項１に記載の電力・信号伝送モジュールのＩＤが登録され、請求項３に記載の非接触充電モジュール上に請求項１に記載の電力・信号伝送モジュールが配置された際、非接触通信によりデータ通信を行い、請求項１に記載の電力・信号伝送モジュールのＩＤを識別し、予め請求項３に記載の非接触充電モジュールに登録されたＩＤと一致した場合にのみ充電を開始する認証機能を有する請求項５に記載の非接触充電および信号伝送システム。
【請求項１０】
請求項４に記載の非接触充電モジュールに請求項１に記載の電力・信号伝送モジュールのＩＤが登録され、請求項４に記載の非接触充電モジュール上に請求項１に記載の電力・信号伝送モジュールが配置された際、非接触通信によりデータ通信を行い、請求項１に記載の電力・信号伝送モジュールのＩＤを識別し、予め請求項４に記載の非接触充電モジュールに登録されたＩＤと一致した場合にのみ充電を開始する認証機能を有する請求項６に記載の非接触充電および信号伝送システム。
【請求項１１】
請求項３に記載の非接触充電モジュールに請求項２に記載の電力・信号伝送モジュールのＩＤが登録され、請求項３に記載の非接触充電モジュール上に請求項２に記載の電力・信号伝送モジュールが配置された際、非接触通信によりデータ通信を行い、請求項２に記載の電力・信号伝送モジュールのＩＤを識別し、予め請求項３に記載の非接触充電モジュールに登録されたＩＤと一致した場合にのみ充電を開始する認証機能を有する請求項７に記載の非接触充電および信号伝送システム。
【請求項１２】
請求項４に記載の非接触充電モジュールに請求項２に記載の電力・信号伝送モジュールのＩＤが登録され、請求項４に記載の非接触充電モジュール上に請求項２に記載の電力・信号伝送モジュールが配置された際、非接触通信によりデータ通信を行い、請求項２に記載の電力・信号伝送モジュールのＩＤを識別し、予め請求項４に記載の非接触充電モジュールに登録されたＩＤと一致した場合にのみ充電を開始する認証機能を有する請求項８に記載の非接触充電および信号伝送システム。
【請求項１３】
電力伝送時、信号送受信時に前記第１のコイルに励起される電圧波形が同一であることを特徴とする請求項５乃至１２のいずれかに記載の非接触充電および信号伝送システム。
【請求項１４】
信号送受信は１３．５６ＭＨｚ帯の周波数を利用したデータ通信であることを特徴とする請求項５乃至１３のいずれかに記載の非接触充電および信号伝送システム。
【発明の詳細な説明】
【技術分野】
【０００１】
本発明は、無線データ通信機能を有する携帯機器において、無線通信に用いるコイルを共用して、非接触充電を行う電力・信号伝送モジュール、非接触充電モジュールならびに非接触充電および信号伝送システムに関する。
【背景技術】
【０００２】
フェリカ（登録商標）などのＲＦＩＤ機能を搭載した携帯電話が広く普及しており、また、主に数百ｋＨｚ帯において電磁誘導方式を利用した携帯機器などの非接触充電システムが従来技術として知られている。
【０００３】
非接触充電システムは、被充電対象となる携帯機器などに内蔵されている二次電池を充電する目的などに使用されており、二次電池の状態に応じて適正に充電を実施するために、二次電池の情報を一次側すなわち充電器側にフィードバックする技術が用いられている。
【０００４】
例えば、特許文献１では、非接触式充電機器において、負荷となる二次電池の状態による一次側電流を所定の閾値と比較し、これを二次側からの信号とみなして電池の充電制御を行っている。この例のように、非接触充電における充電制御信号は一般的には通信ではなく二次側の負荷変動情報を用いている。
【０００５】
また、特許文献２では、携帯端末や電子時計などの携帯電子機器において、通常の動作時および充電時でアラームなどの機能の告知方法を変える手段を用いているものであって、充電とデータ通信とは時間的に分離されている。
【０００６】
また、特許文献３では、携帯端末や電子時計などの携帯電子機器において、一次側による送信で二次側に信号が誘起された状態でコイルの抵抗負荷を変動させることで低消費電力化でき、その結果二次側の負担を軽減している。
【先行技術文献】
【特許文献】
【０００７】
【特許文献１】特開２００１−２７５２６６号公報
【特許文献２】特開２０００−２７０４８６号公報
【特許文献３】特開平１１−２７４９８９号公報
【発明の概要】
【発明が解決しようとする課題】
【０００８】
しかしながら、従来技術において、例えば電磁誘導による無線通信と非接触電力伝送の機能を合わせ持つ機器を実現するためには、ＲＦＩＤ機能とそのための第１のコイル、充電機能とそのための第２のコイルをそれぞれ搭載することが考えられるが、第１のコイルは１３．５６ＭＨｚ帯に対応したサイズおよびターン数のもの、第２のコイルは例えば１２５ｋＨｚ帯対応のサイズおよびターン数のものがそれぞれ必要となり、携帯電話端末などコンパクトに非常に高密度に部品が実装されたデバイスにおいては本来の電話機能にかかわるアンテナの他に、上記の異なる２つのコイルを搭載するスペースを確保することは困難である。
【０００９】
仮に、充電に関わる動作周波数をＲＦＩＤ機能とあわせて１３．５６ＭＨｚで実現するなど、電磁誘導に用いるコイルを共通化した場合には省スペース化できるが、一つのコイルに通信と充電の機能を混載するために、スイッチなどにより、これらの機能を時間的に分離する必要が有り、充電と通信は同時にはできないことになる。ここで、例えばＮＦＣ（Ｎｅａｒ  Ｆｉｅｌｄ  Ｃｏｍｍｕｎｉｃａｔｉｏｎ）やフェリカに代表される１３．５６ＭＨｚ帯の情報通信と非接触充電とをひとつのコイルで共用化した具体的な開示はない。
【００１０】
さらに、非接触充電の際にコイルを共通化した上で通信によるＩＤ認証機能を用いた充電制御方法についても開示例がなく、この場合、充電器と被充電機器間でＩＤ認証を行えないため、誤って充電器に非対応機器や異物を配置した場合には過熱する恐れがあった。
【００１１】
また、コイルが共用であっても充電と通信は時間的に分離されているか、時間的には同時であっても充電用と通信用のコイルとは互いに空間的に分離された異なるものであった。
【００１２】
あるいは、充電に関わる動作周波数をＲＦＩＤ機能とあわせて１３．５６ＭＨｚで実現するなど、電磁誘導に用いるコイルを共通化した場合には省スペース化できるが、ひとつのコイルに通信と充電の機能を混載するため、スイッチなどにより、これらの機能を時間的に分離しなければならないという課題があった。
【００１３】
本発明は、上記の課題を解決し、省スペース化が可能で、その上、対応機器にのみ充電可能であり、さらに充電と通信が同時に実現可能な電力・信号伝送モジュール、非接触充電モジュールならびに非接触充電および信号伝送システムを提供することにある。
【課題を解決するための手段】
【００１４】
本発明は、上記の課題を解決するためになされたものであり、ＲＦＩＤなどデータ通信と非接触充電に用いるコイルを共用とすることで省スペース化をし、ＩＤ認証により対応機器にのみ充電可能であり、さらに充電と通信が同時にできる非接触充電および信号伝送システムを実現するものである。
【００１５】
すなわち、本発明によれば、電力伝送機能、信号送受信機能及び情報処理機能を備えた携帯機器用の電力・信号伝送モジュールであって、二次電池の充電または負荷回路を制御するための第１の電力制御回路と、信号送受信を制御するための第１の信号制御・情報処理回路と、電力伝送と信号送受信とを分離、結合するための第１の分離結合回路とを備え、前記第１の電力制御回路と前記第１の信号制御・情報処理回路とはともに、前記第１の分離結合回路を介して第１のコイルに接続されたことを特徴とする電力・信号伝送モジュールが得られる。
【００１６】
また、本発明によれば、前記第１の電力制御回路と前記第１の信号制御・情報処理回路とに接続し、電力伝送と信号送受信の搬送波を互いに同期して形成させるための基本駆動信号を生成する第１の発振子を備えることを特徴とする上記の電力・信号伝送モジュールが得られる。
【００１７】
また、本発明によれば、電力伝送機能、信号送受信機能及び情報処理機能を備えた非接触充電モジュールであって、電源部からの電力を制御するための第２の電力制御回路と、信号送受信を制御するための第２の信号制御・情報処理回路と、電力伝送と信号送受信とを分離・結合するための第２の分離結合回路を備え、前記第２の電力制御回路と前記第２の信号制御・情報処理回路とはともに、前記分離結合回路を介して第２のコイルに接続されたことを特徴とする非接触充電モジュールが得られる。
【００１８】
また、本発明によれば、前記第２の電力制御回路と前記第２の信号制御・情報処理回路とに接続し、電力伝送と信号送受信の搬送波を互いに同期して形成させるための基本駆動信号を生成する第２の発振子を備えることを特徴とする上記の非接触充電モジュールが得られる。
【００１９】
また、本発明によれば、上記の電力・信号伝送モジュールと上記の非接触充電モジュールからなり、各々前記第１のコイル及び前記第２のコイルを介して互いに電磁誘導により非接触で電力伝送および信号送受信することを特徴とする非接触充電および信号伝送システムが得られる。すなわち、電力伝送と信号送受信の駆動を同期させるための共通な発振子を有する電力・信号伝送モジュール、発振子を有しない電力・信号伝送モジュールと、発振子を有する非接触充電モジュール、発振子を有しない非接触充電モジュールとの組み合わせで４組の非接触充電および信号伝送システムが得られる。
【００２０】
また、本発明によれば、上記の非接触充電モジュールに上記の電力・信号伝送モジュールのＩＤが登録され、上記の非接触充電モジュール上に上記の電力・信号伝送モジュールが配置された際、非接触通信によりデータ通信を行い、上記の電力・信号伝送モジュールのＩＤを識別し、予め上記の非接触充電モジュールに登録されたＩＤと一致した場合にのみ充電を開始する認証機能を有する上記の非接触充電および信号伝送システムが得られる。すなわち、この場合も、電力伝送と信号送受信の駆動を同期させるための共通な発振子を有する電力・信号伝送モジュール、発振子を有しない電力・信号伝送モジュールと、発振子を有する非接触充電モジュール、発振子を有しない非接触充電モジュールとの組み合わせで４組の非接触充電および信号伝送システムが得られる。
【００２１】
また、本発明によれば、電力伝送時、信号送受信時に前記第１のコイルに励起される電圧波形が同一であることを特徴とする上記の非接触充電および信号伝送システムが得られる。
【００２２】
また、本発明によれば、信号送受信は１３．５６ＭＨｚ帯の周波数を利用したデータ通信であることを特徴とする上記の非接触充電および信号伝送システムが得られる。
【発明の効果】
【００２３】
本発明の電力・信号送受信モジュール、非接触充電モジュールならびに非接触充電および信号伝送システムは、ＲＦＩＤなどデータ通信と非接触充電に用いるコイルを共用とすることで省スペース化をし、ＩＤ認証により対応機器にのみ充電可能であり、さらに充電と通信が同時に実現可能なる。
【００２４】
即ち、新規に充電用のコイルを追加することなく、データ通信用のコイルと共用して非接触充電できる点、ＩＤ認証を行って充電を開始できる点、充電と通信が同時に実現可能となる特徴を有しており、さらに置いておくだけで安全に充電可能な非接触充電システムを実現することができる。
【００２５】
具体的には、１３．５６ＭＨｚ帯を利用し、電磁誘導を利用した非接触充電システムであり、フェリカやＮＦＣなどの無線データ通信で用いるコイルを充電用のコイルとして利用している。充電と通信は同じ電圧波形を使用しており、これらが時間的空間的に同一である。さらに、ＩＤ認証機能を有しており、非接触充電を行う際、認証された機器のみに充電を行うことができ、通信機能を活用したＩＤ認証方式により充電対応物を安全に識別可能である。
【図面の簡単な説明】
【００２６】
【図１】本発明の実施の形態１に係る非接触充電および信号伝送システムの概略図。
【図２】本発明の実施の形態１に係る携帯機器用の電力・信号伝送モジュールの概略図。
【図３】本発明の実施の形態１に係る非接触充電モジュールの概略図。
【図４】本発明の実施の形態１に係る非接触充電および信号伝送システムのコイル両端に発生する電圧動作波形を示す図。
【図５】従来例の非接触充電システムにおけるコイル両端に発生する電圧動作波形を示す図。
【図６】他の従来例の非接触充電システムにおけるコイル両端に発生する電圧動作波形を示す図。
【図７】本発明の実施の形態２に係る非接触充電および信号伝送システムの概略図。
【図８】本発明の実施の形態３に係る非接触充電および信号伝送システムの概略図。
【発明を実施するための形態】
【００２７】
以下、本発明の実施の形態について、図面を用いながら詳細に説明する。
【００２８】
（実施の形態１）
図１は、本発明の実施の形態１に係る非接触充電および信号伝送システムの概略図を示している。図１に示すように、本発明の実施の形態１に係る非接触充電および信号伝送システム１０は、携帯端末などの電力・信号伝送モジュール１１と、充電器などの非接触充電モジュール２１とからなり、各々のコイル、すなわち第１のコイル１６、第２のコイル２６を介して互いに電磁誘導により非接触で電力伝送および信号送受信する構成となっている。
【００２９】
図２は、本発明の実施の形態１に係る携帯機器用の電力・信号伝送モジュールの概略図を示している。図２に示すように、携帯機器用の電力・信号伝送モジュール１１は、電力伝送機能と信号送受信機能と情報処理機能を各々備え、二次電池１２の充電またはその他の負荷回路を制御するための第１の電力制御回路１３と、信号送受信を制御するための第１の信号制御・情報処理回路１４とはともに、電力伝送と信号送受信とを分離、結合する機能を有する第１の分離結合回路１５を介して単一コイルである第１のコイル１６の両端に共通に接続されている。
【００３０】
図３は、本発明の実施の形態１に係る非接触充電モジュールの概略図を示している。図３に示すように、非接触充電モジュール２１は、電力伝送機能と信号送受信機能と情報処理機能を各々備え、電源部２２と、これを制御するための第２の電力制御回路２３と、信号送受信を制御するための第２の信号制御・情報処理回路２４とからなり、これらはともに電力伝送と信号送受信とを分離、結合する機能を有する第２の分離結合回路２５を介して単一コイルである第２のコイル２６の両端に共通に接続されている。
【００３１】
次に、本発明について、非接触充電および信号伝送システムの動作状態における、充電および信号波形に着目して、具体的な事例を説明する。システムの構成は図１に示した構成とし、具体的な動作周波数はＮＦＣを想定した１３．５６ＭＨｚとしており、これは充電に関わる周波数も共通とした。
【００３２】
図４に、本発明の実施の形態１に係る非接触充電および信号伝送システムのコイル両端に発生する電圧動作波形を示す。充電およびデータ通信には同一のコイルを共用し、これらは同じ周波数で実施している。
【００３３】
図４に示すように、電圧波形６１は、ＲＦＩＤのデータ通信に関わるコイル両端にかかる電圧波形であり、充電のための伝送電圧波形でもある。つまりこれらの電圧波形も共通化されていることが特徴であり、電力伝送と信号送受信に関わる送信コイルに励起される電圧波形が同一である。時間Ｔ１は、データ通信および充電がいずれも行われておらずオフの状態である。ここで、充電の開始に当たって、充電モジュールにあらかじめ登録された被充電機器の個別ＩＤと被充電機器のＩＤを照合する。そこでは非接触通信によりデータ通信を行うことでＩＤ認証を実行し、予め非充電機器に登録されたＩＤと一致するなどの条件を満たせば充電を開始する過程を踏んでいる。時間Ｔ２は、前記認証が確認できた後に、データ通信と充電との両方が行われており、１３．５６ＭＨｚの搬送波にデータが重畳した変調波形を示している。時間Ｔ３は、充電のみ実施されている状態である。ここではデータ通信に伴う変調波形はない。時間Ｔ４ではいずれもオフ状態である。
【００３４】
このように、充電およびデータ通信に同一のコイルを共用し、時間的、空間的に同時に実行するために、電力伝送と信号送受信とを分離・結合する機能を有する分離結合回路を介して単一コイルの両端に共通に接続されている。このため、同一のコイルで通信中も充電可能となっている。
【００３５】
図５は、従来例の非接触充電システムにおけるコイル両端に発生する電圧動作波形を示している。図５に示すように、電圧波形４１は、ＲＦＩＤのデータ通信に関わるコイル両端にかかる電圧波形であり、電圧波形４２は、充電のための伝送電圧波形である。時間Ｔ１は、データ通信および充電がいずれも行われておらずオフの状態である。時間Ｔ２は、データ通信および充電が同時に行われており、電圧波形４１のデータ通信は１３．５６ＭＨｚの搬送波にデータが重畳した変調波形を示し、電圧波形４２の充電は１２５ｋＨｚの動作周波数で実施されている。これらは互いに異なる回路網およびコイルによりなされるものである。時間Ｔ３では充電のみ実施している状態である。時間Ｔ４ではいずれもオフ状態である。
【００３６】
図６は、他の従来例の非接触充電システムにおけるコイル両端に発生する電圧動作波形を示している。充電およびデータ通信には同一のコイルを共用し、これらが同じ周波数帯で実施されているケースである。
【００３７】
図６に示すように、電圧波形５１は、ＲＦＩＤのデータ通信に関わるコイル両端にかかる電圧波形であり、電圧波形５２は、充電のための伝送電圧波形である。時間Ｔ１は、データ通信および充電がいずれも行われておらずオフの状態である。時間Ｔ２は、データ通信が行われており、電圧波形５１のデータ通信は１２５ｋＨｚの搬送波にデータが重畳した変調波形を示している。時間Ｔ３は、充電のみ実施されている状態である。時間Ｔ４ではいずれもオフ状態である。
【００３８】
このように、従来例では、充電およびデータ通信に同一のコイルを共用するために、充電およびデータ通信を実行するタイミングを時間的に分離している。
【００３９】
（実施の形態２）
次に他の実施の形態を説明する。図７は、本発明の実施の形態２に係る非接触充電および信号伝送システムの概略図を示している。図７に示すように、実施の形態２に係る非接触充電および信号伝送システム７０は、図１と同じく、携帯端末などの電力・信号伝送モジュール７１と、充電器などの非接触充電モジュール８１とからなり、各々のコイル、第１のコイル７６、第２のコイル８６を介して互いに電磁誘導により非接触で電力伝送および信号送受信する構成となっている。
【００４０】
携帯機器用の電力・信号伝送モジュール７１は、電力伝送機能と信号送受信機能と情報処理機能を各々備え、二次電池７２の充電またはその他の負荷回路を制御するための第１の電力制御回路７３と、信号送受信を制御するための第１の信号制御・情報処理回路７４とはともに、電力伝送と信号送受信とを分離、結合する機能を有する第１の分離結合回路７５を介して単一コイルである第１のコイル７６の両端に共通に接続されている。
【００４１】
また、電力伝送機能と信号送受信機能と情報処理機能を各々備えた非接触充電モジュール８１は、電源部８２と、これを制御するための第２の電力制御回路８３と、信号送受信を制御するための第２の信号制御・情報処理回路８４とからなり、これらはともに電力伝送と信号送受信とを分離、結合する機能を有する第２の分離結合回路８５を介して単一コイルである第２のコイル８６の両端に共通に接続されている。これらが各々の第１のコイル７６、第２のコイル８６を介して互いに電磁誘導により非接触で電力伝送および信号送受信される非接触充電および信号伝送システム７０を構成している。ここで、発振子８８は、第２の電力制御回路８３と第２の信号制御・情報処理回路８４とに接続されている。前記電力伝送と前記信号送受信に関わる搬送波は共通の発振子８８が生成する基本駆動信号により互いに同期して形成される。この例の場合も実施の形態１と同様に、充電およびデータ通信に同一のコイルを共用し、時間的、空間的に同時に実行するために、電力伝送と信号送受信とを分離・結合する機能を有する分離結合回路を介して単一コイルの両端に共通に接続されているため、同一のコイルで通信中も充電可能となっている。
【００４２】
（実施の形態３）
次にさらに他の実施の形態を説明する。図８は、本発明の実施の形態３に係る非接触充電および信号伝送システムの概略図を示している。図８に示すように、実施の形態３に係る非接触充電および信号伝送システム９０は、図１、７と同じく、携帯端末などの電力・信号伝送モジュール９１と、充電器などの非接触充電モジュール１０１とからなり、各々のコイル、第１のコイル９６、第２のコイル１０６を介して互いに電磁誘導により非接触で電力伝送および信号送受信する構成となっている。
【００４３】
携帯機器用の電力・信号伝送モジュール９１は、電力伝送機能と信号送受信機能と情報処理機能を各々備え、二次電池９２の充電またはその他の負荷回路を制御するための第１の電力制御回路９３と、信号送受信を制御するための第１の信号制御・情報処理回路９４とはともに、電力伝送と信号送受信とを分離、結合する機能を有する第１の分離結合回路９５を介して単一コイルである第１のコイル９６の両端に共通に接続されている。また、第１の発振子９８は、第１の電力制御回路９３と第１の信号制御・情報処理回路９４とに接続されている。
【００４４】
また、電力伝送機能と信号送受信機能と情報処理機能を各々備えた非接触充電モジュール１０１は、電源部１０２と、これを制御するための第２の電力制御回路１０３と、信号送受信を制御するための第２の信号制御・情報処理回路１０４とからなり、これらはともに電力伝送と信号送受信とを分離、結合する機能を有する第２の分離結合回路１０５を介して単一コイルである第２のコイル１０６の両端に共通に接続されている。また、第２の発振子１０８は、第２の電力制御回路１０３と第２の信号制御・情報処理回路１０４とに接続されている。これらが各々の第１のコイル９６、第２のコイル１０６を介して互いに電磁誘導により非接触で電力伝送および信号送受信される非接触充電および信号伝送システム９０を構成している。ここで、前記電力伝送と前記信号送受信に関わる搬送波は共通の、第１の発振子９８、第２の発振子１０８が生成する基本駆動信号により互いに同期して形成される。この例の場合も実施の形態１、２と同様に、充電およびデータ通信に同一のコイルを共用し、時間的、空間的に同時に実行するために、電力伝送と信号送受信とを分離・結合する機能を有する分離結合回路を介して単一コイルの両端に共通に接続されているため、同一のコイルで通信中も充電可能となっている。
【００４５】
なお、上記の例以外にも、発振子を有する電力・信号伝送モジュールと、発振子を有しない非接触充電モジュールとの組み合わせで非接触充電および信号伝送システムを構成することも可能である。
【００４６】
本発明は、フェリカやＮＦＣなどの無線データ通信機能を有する機器において、通信に用いるコイルを共用して例えば１３．５６ＭＨｚ帯の周波数による非接触充電が可能となる装置に適用することができる。
【符号の説明】
【００４７】
１０、７０、９０    非接触充電および信号伝送システム
１１、７１、９１    電力・信号伝送モジュール
１２、７２、９２    二次電池
１３、７３、９３    第１の電力制御回路
１４、７４、９４    第１の信号制御・情報処理回路
１５、７５、９５    第１の分離結合回路
１６、７６、９６    第１のコイル
２１、８１、１０１    非接触充電モジュール
２２、８２、１０２    電源部
２３、８３、１０３    第２の電力制御回路
２４、８４、１０４    第２の信号制御・情報処理回路
２５、８５、１０５    第２の分離結合回路
２６、８６、１０６    第２のコイル
４１    （ＲＦＩＤのデータ通信に関わるコイル両端にかかる）電圧波形
４２    （充電のための伝送）電圧波形
５１、６１    （ＲＦＩＤのデータ通信に関わるコイル両端にかかる）電圧波形
５２    （充電のための）伝送電圧波形
８８、１０８    （第２の）発振子
９８    第１の発振子
【図１】
2010284065.tif 000003
【図２】
2010284065.tif 000004
【図３】
2010284065.tif 000005
【図４】
2010284065.tif 000006
【図５】
2010284065.tif 000007
【図６】
2010284065.tif 000008
【図７】
2010284065.tif 000009
【図８】
2010284065.tif 000010